【手続補正書】
【提出日】平成19年1月11日(2007.1.11)
【手続補正１】
【補正対象書類名】明細書
【補正対象項目名】特許請求の範囲
【補正方法】変更
【補正の内容】
【特許請求の範囲】
【請求項１】  細胞増殖用基体であって、ポリサッカリドおよび該基体の表面上に、該ポリサッカリドと非共有結合的に結合した状態で存在させた細胞接着性タンパク質を具有する細胞増殖用基体。
【請求項２】  細胞接着性タンパク質を保有する表面層を有するポリサッカリド基底層を含有する請求項１記載の基体。
【請求項３】  ポリサッカリド基底層が、該表面層と該基底層の厚さの６０％よりも大きな厚さを有する請求項２記載の基体。
【請求項４】  ポリサッカリド基底層が、該表面層と該基底層の厚さの８０％よりも大きな厚さを有する請求項３記載の基体。
【請求項５】  細胞接着性タンパク質の層がポリサッカリド基底層と一体化された請求項２から４いずれかに記載の基体。
【請求項６】  細胞接着性タンパク質の層の厚さが１〜２０μｍである請求項５記載の基体。
【請求項７】  細胞接着性タンパク質の層が表面吸着層である請求項２から５いずれかに記載の基体。
【請求項８】  細胞接着性タンパク質の層が３〜５分子の厚さである請求項７記載の基体。
【請求項９】  ポリサッカリド基底層がポリサッカリドを少なくとも８０重量％含有する請求項２から８いずれかに記載の基体。
【請求項１０】  ポリサッカリド基底層がポリサッカリドを少なくとも９０重量％含有する請求項９記載の基体。
【請求項１１】  細胞接着性タンパク質の表面層が細胞接着性タンパク質を少なくとも８０重量％含有する請求項２から１０いずれかに記載の基体。
【請求項１２】  細胞接着性タンパク質の表面層が細胞接着性タンパク質を少なくとも９０重量％含有する請求項１１記載の基体。
【請求項１３】  細胞接着性タンパク質の表面層が細胞接着性タンパク質を９５〜１００重量％含有する請求項１２記載の基体。
【請求項１４】  細胞接着性タンパク質の層が不連続層である請求項２から１３いずれかに記載の基体。
【請求項１５】  ポリサッカリド層が活性剤を含有する請求項２から１４いずれかに記載の基体。
【請求項１６】  活性剤がカプセル化活性剤である請求項１５記載の基体。
【請求項１７】  活性剤が薬剤、増殖因子または走化性剤である請求項１５または１６記載の基体。
【請求項１８】  ポリサッカリドがアルギン酸塩、キトサン、ポリリジンおよびその他のポリアミノ酸、カチオン性デンプン、その他のヒドロコロイドのカチオン性誘導体、コラーゲン、ゼラチン、低メトキシルペクチン、カラゲナン、コンドロイチン硫酸、ヒアルロン酸、カルボキシメチルセルロース、カルボキシメチルデンプン、カルボキシメチルグアル、セルローススルフェート、デキストランスルフェート、ゲラン、キサンタン、および他のヒドロコロイドのアニオン性誘導体から選択される請求項１から１７いずれかに記載の基体。
【請求項１９】  ポリサッカリドがアルギン酸塩である請求項１８記載の基体。
【請求項２０】  アルギン酸塩が少なくとも３５重量％のグルロン酸（Ｇ）含量と多くとも６５重量％のマンヌロン酸（Ｍ）含量を有する請求項１９記載の基体。
【請求項２１】  ポリサッカリドのＧ含量が３５〜７０重量％で、Ｍ含量が６５〜３０重量％である請求項２０記載の基体。
【請求項２２】  アルギン酸塩が２価カチオン、好ましくはカルシウムイオンで架橋された請求項１９から２１いずれかに記載の基体。
【請求項２３】  細胞接着性タンパク質がカルシウムイオン架橋によって安定化された請求項２２記載の基体。
【請求項２４】  ポリサッカリドがキトサンである請求項１８記載の基体。
【請求項２５】  キトサンが少なくとも７０％脱アセチル化されたキチンを含有する請求項２４記載の基体。
【請求項２６】  細胞接着性タンパク質が血漿中に存在するタンパク質である請求項１から２５いずれかに記載の基体。
【請求項２７】  細胞接着性タンパク質がＲＧＤ結合部位を保有する請求項１から２６いずれかに記載の基体。
【請求項２８】  細胞接着性タンパク質がフィブロネクチン、ヴィトロネクチンまたはフォンヴィレブラントタンパク質である請求項２７記載の基体。
【請求項２９】  細胞接着性タンパク質がフィブロネクチンである請求項２８記載の基体。
【請求項３０】  細胞増殖用基体であって、ポリサッカリドおよび該基体の表面上に、該ポリサッカリドと非共有結合的に結合した状態で存在させた血漿成分を含有する細胞増殖用基体。
【請求項３１】  繊維形態を有する請求項１から３０いずれかに記載の基体。
【請求項３２】  繊維が１０〜１０００μｍの直径を有する請求項３１記載の基体。
【請求項３３】  繊維が４０〜１５０μｍの直径を有する請求項３２記載の基体。
【請求項３４】  繊維が４０〜１００μｍの直径を有する請求項３３記載の基体。
【請求項３５】  繊維が５０〜８０μｍの直径を有する請求項３４記載の基体。
【請求項３６】  シート形態またはフィルム形態を有する請求項１から３０いずれかに記載の基体。
【請求項３７】  ２〜２０００μｍの厚さを有する請求項３６記載の基体。
【請求項３８】  １０〜１００μｍの厚さを有する請求項３７記載の基体。
【請求項３９】  ２００〜１０００μｍの厚さを有する請求項３７記載の基体。
【請求項４０】  ５００〜２０００μｍの厚さを有する請求項３７記載の基体。
【請求項４１】  請求項３１から３５いずれかに記載の繊維のアセンブリー。
【請求項４２】  ランダムマトリックス（例えば、不織フェルトまたは不織フリース）、配向マトリックス（相当な相対整列度を有する繊維）、編成構造、編組構造、集束構造またはカード梳きスライバーの形態を有する請求項４１記載のアセンブリー。
【請求項４３】  相互に平行に配列された請求項３１から３５いずれかに記載の複数繊維を含有するアセンブリー。
【請求項４４】  ランダムに配列された請求項３１から３４いずれかに記載の繊維を複数含有するアセンブリー。
【請求項４５】  シート状またはフィルム状支持体上に繊維を存在させた請求項４３または４４記載のアセンブリー。
【請求項４６】  透湿度の高いフィルム上に繊維を存在させた請求項４５記載のアセンブリー。
【請求項４７】  非晶質ゲルのマトリックス中に繊維を存在させた請求項４１記載のアセンブリー。
【請求項４８】  ポリサッカリドと細胞接着性タンパク質を前者が後者よりも多い割合で溶解させた溶液を凝固浴中へ押出すことによって、ポリサッカリド基底層と細胞接着性タンパク質表面層を含有する基体であって、該細胞接着性タンパク質が該ポリサッカリドと非共有結合的に結合した該基体を沈殿させることを含む細胞増殖用基体の製造法。
【請求項４９】  ２価カチオン（一般的にはカルシウムイオン）を含有する凝固浴中で基体を沈殿させる請求項４８記載の方法。
【請求項５０】  被押出溶液がポリサッカリドおよび細胞接着性タンパク質を両者の全重量に基づいてそれぞれ６０〜９９重量％および１〜４０重量％含有する請求項４８または４９記載の方法。
【請求項５１】  溶解されたポリサッカリドがアルギン酸ナトリウムである請求項４９または５０記載の方法。
【請求項５２】  アルギン酸ナトリウムが３５〜７０重量％のＧ含量と６５〜３５重量％のＭ含量を有する請求項５１記載の方法。
【請求項５３】  アルギン酸ナトリウムが３０〜３００ｃＰの粘度（１％水溶液）を有する請求項５１または５２いずれかに記載の方法。
【請求項５４】  アルギン酸ナトリウムが４０〜１００ｃＰの粘度（１％水溶液）を有する請求項５３記載の方法。
【請求項５５】  予備成形したポリサッカリド層の表面上へ細胞接着性のタンパク質または血漿成分の表面層を塗布形成させることによって、該細胞接着性のタンパク質または血漿成分をポリサッカリドと非共有結合的に結合させることを含む細胞増殖用基体の製造法。
【請求項５６】  細胞接着性のタンパク質または血漿成分を含有する塗布浴中へポリサッカリド層を浸漬させることによって該表面層の塗布形成をおこなう請求項５５記載の方法。
【請求項５７】  細胞接着性タンパク質を含有する凝固浴中でポリサッカリドを沈殿させる請求項５５記載の方法。
【請求項５８】  塗布を噴霧によっておこなう請求項５５記載の方法。
【請求項５９】  タンパク質層の安定化をおこなう請求項５５から５８いずれかに記載の方法。
【請求項６０】  請求項１から４０いずれかに記載の基体上または請求項４１から４７いずれかに記載のアセンブリー上で細胞増殖をおこなうことを含む細胞培養法。
【請求項６１】  細胞増殖を創傷の修復、組織の修復または増殖、表皮または皮膚の代用物の培養、整形、血管移植、神経再生またはバイオリアクターにおける細胞培養のために細胞増殖をおこなう請求項６０記載の方法。
【請求項６２】  請求項１から４０いずれかに記載の基体または請求項４１から４７いずれかに記載のアセンブリーの治療における使用。